(57)【要約】【課題】腕の橈骨周辺の筋肉に当接力を付与することが可能な腕装着具を提供する。【解決手段】本発明のある態様の腕装着具は、人の腕３０に装着される筒状体２０と、筒状体２０に設けられ、腕３０に装着されたときに所定の部位に当接する程度の伸縮性を有する帯状部１０と、を備える。帯状部１０は、拇指３２ｅと人差指３２ｆの間に当接する基部１２と、基部１２から手の平３２ａを通り、肘３６を越えて延伸する第１帯状部１４と、基部１２から手の甲３２ｂを通り、肘３６を越えて延伸する第２帯状部１６と、を含む。第１帯状部１４は、少なくとも手の平３２ａに当接し、第２帯状部１６は、少なくとも手の甲３２ｂに当接する。【選択図】図１
2019157325.tif 000002
【特許請求の範囲】
【請求項１】
人の腕に装着される筒状体と、
前記筒状体に設けられ、前記腕に装着されたときに所定の部位に当接する程度の伸縮性を有する帯状部と、を備え、
前記帯状部は、拇指と人差指の間に当接する基部と、前記基部から手の平を通り、肘を越えて延伸する第１帯状部と、前記基部から手の甲を通り、前記肘を越えて延伸する第２帯状部と、を含み、
前記第１帯状部は、少なくとも前記手の平に当接し、前記第２帯状部は、少なくとも前記手の甲に当接することを特徴とする腕装着具。
【請求項２】
前記第１帯状部と、前記第２帯状部とは、手首と肘との間で接続されていることを特徴とする請求項１に記載の腕装着具。
【請求項３】
前記第１帯状部と、前記第２帯状部とは、手首の内側近傍で接続されていることを特徴とする請求項２に記載の腕装着具。
【請求項４】
前記第１帯状部と、前記第２帯状部とは、腕の内側の橈骨側に寄った位置で接続されていることを特徴とする請求項２に記載の腕装着具。
【請求項５】
前記第２帯状部は、手の甲側から腕の内側へ螺旋状に延びていることを特徴とする請求項４に記載の腕装着具。
【請求項６】
前記筒状体は、人差指の拇指側の根本を覆うことを特徴とする請求項１から５のいずれかに記載の腕装着具。
【請求項７】
前記筒状体は、拇指を通す拇指孔が設けられ、
前記帯状部は、前記拇指孔を半周以上にわたって囲むように配置されることを特徴とする請求項６に記載の腕装着具。
【請求項８】
人の腕に装着される筒状体と、
前記筒状体に設けられ、前記腕に装着されたときに所定の部位に当接する程度の伸縮性を有する帯状部と、を備え、
前記帯状部は、手首における腕の内側中央に当接する基部と、前記基部から前記腕の内側を通り、肘の内側を越えて延伸する第１帯状部と、前記基部から前記腕の内側を通り、肘の内側を越えて延伸する第２帯状部と、を含み、
前記第１帯状部は前記肘の内側において肘窩より尺骨側の位置に当接し、前記第２帯状部は前記肘の内側において前記肘窩より橈骨側の位置に当接することを特徴とする腕装着具。
【請求項９】
前記帯状部には、前記第１帯状部と前記第２帯状部とが接続される接続領域が設けられ、
前記接続領域は前記基部から延びていることを特徴とする請求項８に記載の腕装着具。
【請求項１０】
前記第１帯状部の前記接続領域を除いた部分の横幅は一定に形成されていることを特徴とする請求項９に記載の腕装着具。
【請求項１１】
前記第２帯状部の接続領域を除いた部分の横幅は一定に形成されていることを特徴とする請求項９または１０に記載の腕装着具。
【請求項１２】
前記接続領域の横幅は、前記第１帯状部の接続領域を除いた部分および前記第２帯状部の接続領域を除いた部分の横幅より大きく形成されていることを特徴とする請求項９から１１のいずれかに記載の腕装着具。
【請求項１３】
前記第１帯状部の前記接続領域を除いた部分の横幅は、前記第２帯状部の前記接続領域を除いた部分の横幅より大きく形成されていることを特徴とする請求項９から１２のいずれかに記載の腕装着具。
【請求項１４】
前記接続領域は、前記腕の内側において長掌腱膜を覆う部分に当接することを特徴とする請求項９から１３のいずれかに記載の腕装着具。
【請求項１５】
請求項１から１４のいずれかに記載の腕装着具を備えたことを特徴とする腕装着具付き衣類。
【発明の詳細な説明】
【技術分野】
【０００１】
本発明は、人の腕に装着するための腕装着具および腕装着具付き衣類に関する。
【背景技術】
【０００２】
腕に装着されるサポータが知られている。例えば、特許文献１には、伸縮性を有する素材で形成され、肘部を覆う本体部と、本体部よりも強い緊締力を有する主緊締部を備える肘部を覆うサポータが記載されている。
【先行技術文献】
【特許文献】
【０００３】
【特許文献１】特開２０１６−１８０１９９号公報
【発明の概要】
【発明が解決しようとする課題】
【０００４】
発明者は、人の腕に装着される装着具について検討し、腕の拇指屈筋群に圧縮を加えることで、伸筋に弛緩をもたらしうることを認識した。このことにより、腕の動きが滑らかになり、腕の疲労が緩和することが期待できる。例えば、腕の拇指と人差指の間から手の平にわたる領域や橈骨周辺の筋肉に当接力を加えることにより、拇指屈筋群を刺激することが可能である。
【０００５】
しかしながら、特許文献１に記載のサポータは、拇指と人差指の間から手の平にわたる領域に当接力を付与する機能を備えていない。このことから、発明者は、腕装着具には、腕の拇指と人差指の間から手の平にわたる領域や橈骨周辺の筋肉に当接力を加える観点で改善すべき余地があることを認識した。
【０００６】
本発明の目的は、このような課題に鑑みてなされたもので、腕の橈骨周辺の筋肉に当接力を付与することが可能な腕装着具を提供することにある。
【課題を解決するための手段】
【０００７】
上記課題を解決するために、本発明のある態様の腕装着具は、人の腕に装着される筒状体と、筒状体に設けられ、腕に装着されたときに所定の部位に当接する程度の伸縮性を有する帯状部と、を備える。帯状部は、拇指と人差指の間に当接する基部と、基部から手の平を通り、肘を越えて延伸する第１帯状部と、基部から手の甲を通り、肘を越えて延伸する第２帯状部と、を含む。第１帯状部は、少なくとも手の平に当接し、第２帯状部は、少なくとも手の甲に当接する。
【０００８】
この態様によると、帯状部を腕の所定の部位に当接させることができる。
【０００９】
本発明の別の態様もまた、腕装着具である。この腕装着具は、人の腕に装着される筒状体と、筒状体に設けられ、腕に装着されたときに所定の部位に当接する程度の伸縮性を有する帯状部と、を備える。帯状部は、手首における腕の内側中央に当接する基部と、基部から腕の内側を通り、肘の内側を越えて延伸する第１帯状部と、基部から腕の内側を通り、肘の内側を越えて延伸する第２帯状部と、を含む。第１帯状部は肘の内側において肘窩より尺骨側の位置に当接し、第２帯状部は肘の内側において肘窩より橈骨側の位置に当接する。
【００１０】
本発明のさらに別の態様は、腕装着具付き衣類である。この腕装着具付き衣類は、上述の腕装着具を備える。
【００１１】
なお、以上の構成要素の任意の組み合わせや本発明の構成要素や表現を、方法、装置、システムなどの間で相互に置換したものもまた、本発明の態様として有効である。
【発明の効果】
【００１２】
本発明によれば、腕の橈骨周辺の筋肉に当接力を付与することが可能な腕装着具を提供することができる。
【図面の簡単な説明】
【００１３】
【図１】第１実施形態に係る腕装着具を腕に装着した状態を示す装着図である。
【図２】図１の腕装着具の展開図である。
【図３】図１の腕装着具の別の展開図である。
【図４】第２実施形態に係る腕装着具を腕に装着した状態を示す装着図である。
【図５】図４の腕装着具の展開図である。
【図６】図４の腕装着具の別の展開図である。
【図７】第３実施形態に係る腕装着具を腕に装着した状態を示す装着図である。
【図８】図７の腕装着具の展開図である。
【図９】図７の腕装着具の別の展開図である。
【図１０】第４実施形態に係る衣類を身体に装着した状態を示す装着図である。
【発明を実施するための形態】
【００１４】
以下、本発明を好適な実施の形態をもとに各図面を参照しながら説明する。実施の形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１５】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。
【００１６】
［第１実施形態］
以下、図１〜図３を参照して、本発明に係る第１実施形態の構成について説明する。図１は、本発明に係る第１実施形態の腕装着具１００を左腕に装着した状態を示す装着図である。便宜上、図１に示すように前腕の延伸方向において、肘から手に向かう方向を「先方向」、「先側」といい、その逆方向を「反先方向」、「反先側」という。また、腕を真っ直ぐに伸ばした状態で、手の平に沿った側を「腕の内側」といい、手の甲に沿った側を「腕の外側」という。また、腕の内側と腕の外側の境界を「内外境界」という。また、腕の内側および外側において、橈骨と尺骨とを平行にしたときに、腕の幅方向で橈骨側を「拇指側」といい、尺骨側を「反拇指側」という。なお、腕の各部位を示す符号が腕装着具１００上を指している場合も、これらは腕の各部位を指すものであって、腕装着具１００を指すものではない。
【００１７】
図２は、左腕用の腕装着具１００Ｌを平面に展開した展開図である。図３は、右腕用の腕装着具１００Ｒを平面に展開した展開図である。図２および図３は、腕３０の反拇指側の内外境界で開いて展開した状態を示している。これらの図において、破線Ｌａは、腕３０の拇指側の内外境界を示している。また、破線Ｌｂは、後述する第１筒状体２２と第２筒状体２４の境界を示している。また、破線Ｌｃは、後述する第２筒状体２４と第３筒状体２６の境界を示している。なお、破線Ｌａ、Ｌｂ、Ｌｃによる各部位の境界は、あくまでも一例であって、腕装着具１００は任意の態様で装着することができる。
【００１８】
図１〜図３に示すように、腕装着具１００は、筒状体２０と、帯状部１０と、を含む。筒状体２０は、人の腕３０に装着される筒状の部分である。帯状部１０は、筒状体２０に設けられ、腕３０に装着されたときに所定の部位に当接する程度の伸縮性を有する帯状の部分である。
【００１９】
（筒状体）
本実施形態の筒状体２０は、主に手３２の一部を収容する第１筒状体２２と、主に前腕３４を収容する第２筒状体２４と、主に肘３６を収容する第３筒状体２６と、を含む。この例では、筒状体２２、２４、２６は、糸を筒状に編成することによって一体に形成されている。筒状体２０の第１筒状体２２の先側には第１開口２０ｈが設けられ、筒状体２０の第３筒状体２６の反先側には第２開口２０ｊが設けられる。
【００２０】
（口ゴム部）
筒状体２０の先側の第１開口２０ｈには第１口ゴム部２０ｄが設けられ、反先側の第２開口２０ｊには第２口ゴム部２０ｅが設けられている。第１口ゴム部２０ｄは、手３２の一部を緊縮し、第２口ゴム部２０ｅは、肘３６の近傍を緊縮している。口ゴム部２０ｄ、２０ｅは、例えば、編成ゴム帯を縫い付けまたはゴム糸などの弾性糸を編み込んでもよい。この例の口ゴム部２０ｄ、２０ｅは、鹿の子編みされている。このように構成することにより、着用時のズレを抑制することができる。
【００２１】
（第１筒状体）
前述したように。第１筒状体２２は主に手３２の一部を収容する。本実施形態の第１筒状体２２は、人差指３２ｆの拇指３２ｅ側の根本を覆う。この例では、第１開口２０ｈは、人差指３２ｆの根本と小指３２ｇの根本を結んだ線の近傍に位置している。第１筒状体２２には、拇指３２ｅを通す拇指孔２２ｈが設けられる。この例では、拇指孔２２ｈの開口は、拇指３２ｅの根本の近傍に位置している。拇指孔２２ｈは、拇指３２ｅが容易に通り、拇指孔２２ｈの周辺が拇指３２ｅの根本周りに当接する程度の大きさを有する。この例の拇指孔２２ｈは、略長円形または略楕円形を有している。
【００２２】
（帯状部）
帯状部１０は、人の腕３０に装着されることで、腕形状に沿って伸び、その復元力によって縮む方向の収縮力を腕３０に付与する帯状体である。帯状部１０は筒状体２０より大きな伸縮性を有する材料から形成される。特に、帯状部１０は筒状体２０より弾性限界が大きく弾性率が小さいシート状の生地から形成される。帯状部１０は、例えばゴムなど大きな弾性を有する素材が織り込まれた織物から形成されてもよい。帯状部１０は筒状体２０より厚い生地から形成されてもよい。
【００２３】
本実施形態の帯状部１０は、基部１２と、第１帯状部１４と、第２帯状部１６と、を含む。基部１２は、拇指３２ｅと人差指３２ｆの間に当接する部分である。第１帯状部１４は、基部１２から手の平３２ａを通り、肘３６を越えて延伸し、少なくとも手の平３２ａに当接する部分である。第２帯状部１６は、基部１２から手の甲３２ｂを通り、肘３６を越えて延伸し、少なくとも手の甲３２ｂに当接する部分である。基部１２と、第１帯状部１４と、第２帯状部１６とは、別々に形成されてもよいが、本実施形態では、連続して一体に形成されている。
【００２４】
（第１帯状部）
図１〜図３に示すように、本実施形態の第１帯状部１４は、基部１２から延び、母指球の周囲で手首３２ｈ側に湾曲し、腕３０の内側において、手首３２ｈと前腕３４と肘３６とを通り、肘３６の先まで延びている。一例として、第１帯状部１４は、幅方向において、手首３２ｈの中央から拇指側に寄った位置を通り、前腕３４を拇指側から反拇指側に斜めに延びている。第１帯状部１４の端部１４ｅは、反拇指側の内外境界の近傍に位置している。
【００２５】
（第２帯状部）
図１〜図３に示すように、本実施形態の第２帯状部１６は、基部１２から延び、手の甲３２ｂを通って手首３２ｈ側に湾曲し、破線Ｌａを越えて腕３０の内側に延び、腕３０の内側において、前腕３４と肘３６とを通り、肘３６の先まで延びている。一例として、第２帯状部１６は、幅方向において、前腕３４の中央から拇指側に寄った位置を通り、その先で反拇指側に寄った位置を通り、その先で反拇指側から拇指側に斜めに延びている。第２帯状部１６の端部１６ｅは、拇指側の内外境界の近傍に位置している。
【００２６】
（接続領域）
図１〜図３に示すように、第１帯状部１４と、第２帯状部１６とは、手首３２ｈと肘３６との間で接続されている。第１帯状部１４と第２帯状部１６との接続領域１０ｊは、腕３０の内側において、幅方向で前腕３４の中央から拇指側に寄った位置に設けられている。一例として、第１帯状部１４と、第２帯状部１６とは、手首３２ｈの内側で接続されている。この例の接続領域１０ｊは、幅方向の中央近傍を、手首３２ｈから反先方向に、前腕３４の長さの１５％〜３０％にわたって延びている。
【００２７】
第１帯状部１４と第２帯状部１６との接続領域１０ｊが生地として二重である場合、その二重部分が厚くなり使用感が低下するおそれがある。そこで、本実施形態では、接続領域１０ｊは見かけでは重なっているが、生地としては一重構造として生地の重なりを避けている。接続領域１０ｊは第１帯状部１４と同じ厚さの生地から一体に形成される。
【００２８】
図１〜図３に示すように、本実施形態の帯状部１０は、拇指孔２２ｈを一周にわたって囲んでいる。
【００２９】
［第２実施形態］
次に、図４〜図６を参照して、本発明に係る第２実施形態の腕装着具２００の構成について説明する。図４は、本発明に係る第２実施形態の腕装着具２００を左腕に装着した状態を示す装着図であり、図１に対応する。図５は、左腕用の腕装着具２００Ｌを平面に展開した展開図であり、図２に対応する。図６は、右腕用の腕装着具２００Ｒを平面に展開した展開図であり、図３に対応する。第２実施形態の腕装着具２００は、第１実施形態の腕装着具１００に対して、帯状部１０の配置が異なる点で相違し、他の構成は同様である。したがって、重複する説明を省略し、相違する構成について重点的に説明する。
【００３０】
図４〜図６に示すように、本実施形態の腕装着具２００は、筒状体２０と、帯状部１０と、を含む。帯状部１０は、筒状体２０に設けられ、腕３０に装着されたときに所定の部位に当接する程度の伸縮性を有する帯状の部分である。また、本実施形態の帯状部１０は、基部１２と、第１帯状部１４と、第２帯状部１６と、を含む。基部１２は、拇指３２ｅと人差指３２ｆの間に当接する部分である。第１帯状部１４は、基部１２から手の平３２ａを通り、肘３６を越えて延伸し、少なくとも手の平３２ａに当接する部分である。第２帯状部１６は、基部１２から手の甲３２ｂを通り、肘３６を越えて延伸し、少なくとも手の甲３２ｂに当接する部分である。
【００３１】
（第１帯状部）
図４〜図６に示すように、本実施形態の第１帯状部１４は、基部１２から母指球の周囲で手首３２ｈ側に湾曲し、腕３０の内側において、手首３２ｈと前腕３４と肘３６とを通り、肘３６の先まで延びている。一例として、第１帯状部１４は、幅方向において、手首３２ｈの拇指側の端部に寄った位置を通り、前腕３４の拇指側の内外境界に沿って反先方向に延びている。第１帯状部１４の端部１４ｅは、拇指側の内外境界の近傍に位置している。
【００３２】
（第２帯状部）
図４〜図６に示すように、本実施形態の第２帯状部１６は、基部１２から手の甲３２ｂを反拇指側に斜めに横切り、手首３２ｈの近傍で腕３０の外側から内側に延び、前腕３４の内側に至る。さらに、第２帯状部１６は、前腕３４の内側を、拇指側に向かって斜めに横切り、前腕３４の拇指側の内外境界近傍を反先方向に延びている。第２帯状部１６の端部１６ｅは、拇指側の内外境界の近傍に位置している。
【００３３】
（接続領域）
図４〜図６に示すように、第１帯状部１４と、第２帯状部１６とは、手首３２ｈと肘３６との間で接続されている。具体的には、第１帯状部１４と、第２帯状部１６とは、腕３０の内側の橈骨側（拇指側）に寄った位置で接続されている。本実施形態では、第１帯状部１４と第２帯状部１６との接続領域１０ｊは、腕３０の内側において、前腕３４の拇指側の内外境界の近傍に設けられている。一例として、第１帯状部１４と、第２帯状部１６とは、肘３６の近傍で接続されている。この例の接続領域１０ｊは、幅方向において拇指側の内外境界の近傍を、前腕３４の延伸方向中央近傍から反先方向に、前腕３４の長さの３０％〜５０％にわたって延びている。
【００３４】
図４〜図６に示すように、本実施形態の第２帯状部１６は、手の甲３２ｂ側から腕３０の内側へ向かって螺旋状に延びている。
【００３５】
図４〜図６に示すように、帯状部１０は、拇指孔２２ｈを半周以上にわたって囲むように配置されている。
【００３６】
［第３実施形態］
次に、図７〜図９を参照して、本発明に係る第３実施形態の腕装着具３００の構成について説明する。図７は、本発明に係る第３実施形態の腕装着具３００を左腕に装着した状態を示す装着図であり、図１に対応する。図８は、左腕用の腕装着具３００Ｌを平面に展開した展開図であり、図２に対応する。図９は、右腕用の腕装着具３００Ｒを平面に展開した展開図であり、図３に対応する。第３実施形態の腕装着具３００は、第１実施形態の腕装着具１００に対して、第１筒状体を有せず、帯状部１０のうち第１筒状体に設けられていた部分を有しない点で相違し、他の構成は同様である。したがって、重複する説明を省略し、相違する構成について重点的に説明する。また、本実施形態における、第１実施形態と同一の符号を付した構成要素、部材には、別の説明をしない限り、第１実施形態の説明が適用される。
【００３７】
図７〜図９に示すように、本実施形態の腕装着具３００は、筒状体２０と、帯状部１０と、を含む。本実施形態の筒状体２０は、主に前腕３４を収容する第２筒状体２４と、主に肘３６を収容する第３筒状体２６とを含む。本実施形態の筒状体２０は、手の平を収容する第１筒状体を含まない点で第１実施形態と異なる。また、筒状体２０の第２筒状体２４の先側の第１開口２０ｈには第１口ゴム部２０ｄが設けられている。第１口ゴム部２０ｄは、手首３２ｈの一部を緊縮している。
【００３８】
帯状部１０は、筒状体２０に設けられ、腕３０に装着されたときに所定の部位に当接する程度の伸縮性を有する帯状の部分である。また、本実施形態の帯状部１０は、基部１２と、第１帯状部１４と、第２帯状部１６と、を含む。基部１２は、手首３２ｈにおける腕３０の内側中央に当接する部分である。第１帯状部１４は、基部１２から腕３０の内側を通り、肘３６の内側を越えて延伸する部分である。第２帯状部１６は、基部１２から腕３０の内側を通り、肘３６の内側を越えて延伸する部分である。
【００３９】
第１帯状部１４は、肘３６の内側において肘窩３８より尺骨４２側の位置に当接する。第１帯状部１４は、基部１２から離れるにつれて徐々に尺骨４２側に傾斜して延伸する。第２帯状部１６は、肘３６の内側において肘窩３８より橈骨４４側の位置に当接する。第１帯状部１４は、基部１２から離れるにつれて徐々に橈骨４４側に傾斜して延伸する。つまり、第１帯状部１４と第２帯状部１６とは、基部１２から離れるにつれて徐々に尺骨４２側と橈骨４４側とに離間し、その間の間隔が大きくなり、肘３６の内側において肘窩３８を挟む位置に互いに離れて当接する。
【００４０】
図７〜図９に示すように、帯状部１０には、第１帯状部１４と第２帯状部１６とが接続される接続領域１０ｊが設けられる。本実施形態の接続領域１０ｊは、基部１２から腕３０の内側中央近傍に延びている。この例の接続領域１０ｊの延伸長は、非装着状態で４０ｍｍ〜８０ｍｍの範囲に設定されている。
【００４１】
第１帯状部１４の接続領域１０ｊを除いた部分１４ｈの横幅１４ｗは一定に形成されている。部分１４ｈの横幅１４ｗに限定はないが、一例として横幅１４ｗは、非装着状態で１４ｍｍ〜２０ｍｍの範囲に設定されてもよい。第２帯状部１６の接続領域１０ｊを除いた部分１６ｈの横幅１６ｗは一定に形成されている。この例の部分１６ｈの横幅１６ｗに限定はないが、一例として横幅１６ｗは、非装着状態で１０ｍｍ〜１６ｍｍの範囲に設定されてもよい。この例では、部分１４ｈの横幅１４ｗは、部分１６ｈの横幅１６ｗより大きく設定されている。
【００４２】
接続領域１０ｊの横幅１０ｗに限定はないが、一例として、接続領域１０ｊの横幅１０ｗは、非装着状態で２０ｍｍ〜２６ｍｍの範囲であって、部分１４ｈ、１６ｈの横幅１４ｗ、１６ｗより大きく形成されてもよい。接続領域１０ｊの横幅１０ｗは、基部１２から離れるにつれて小さく設定されてもよい。接続領域１０ｊは、腕３０の内側において長掌腱膜４０を覆う部分に当接するように形成されてもよい。
以上が第３実施形態の説明である。
【００４３】
［第４実施形態］
次に、図１０を参照して、本発明に係る第４実施形態の腕装着具付き衣類４００の構成について説明する。第１〜第３実施形態の説明では、腕装着具が独立した装着体である例を示したが、本発明はこれに限られない。例えば、腕装着具は身体に装着される下着、衣類などの衣類やサポータなどの装着体の一部であってもよい。図１０は、本発明に係る第４実施形態の腕装着具付き衣類４００を身体に装着した状態を示す装着図である。腕装着具付き衣類４００は、着用される形態によって、アンダーシャツ、長袖のＴシャツ、スポーツシャツまたは肌着などと称されることがある。
【００４４】
第４実施形態の腕装着具付き衣類４００は、本体部４８と、左右一対の腕装着具３００Ｌ、３００Ｒと、を備えている。腕装着具３００Ｌ、３００Ｒは、衣類の一部として本体部４８と一体化されている。本体部４８は、身体の胴部５０に着用される部分で、図１０の例ではアンダーシャツとして機能する。本体部４８は、丸編みにより筒状体２０と一体に形成されてもよい。本体部４８は、筒状体２０とは別に形成され、縫合により一体化されても良い。腕装着具３００Ｌ、３００Ｒは、腕３０に着用されている。腕装着具３００Ｌ、３００Ｒは、第３実施形態に対して、衣類の一部として本体部４８と一体化されている点で相違し、他の構成は同様であり、重複する説明は省略する。
【００４５】
腕装着具付き衣類４００において、腕装着具３００Ｌ、３００Ｒは、第３実施形態と同様の作用効果を奏する。加えて、腕装着具付き衣類４００は、衣類を身体に着用することにより、左右の腕装着具３００Ｌ、３００Ｒを間違えることなく所定の腕の所定の位置に装着することができる。また、運動などの際に腕装着具３００Ｌ、３００Ｒの位置ずれを防ぐことができる。
以上が第４実施形態の説明である。
【００４６】
本発明の一態様の概要は、次の通りである。本発明のある態様の腕装着具は、人の腕３０に装着される筒状体２０と、筒状体２０に設けられ、腕３０に装着されたときに所定の部位に当接する程度の伸縮性を有する帯状部１０と、を備える。帯状部１０は、拇指３２ｅと人差指３２ｆの間に当接する基部１２と、基部１２から手の平３２ａを通り、肘３６を越えて延伸する第１帯状部１４と、基部１２から手の甲３２ｂを通り、肘３６を越えて延伸する第２帯状部１６と、を含む。第１帯状部１４は、少なくとも手の平３２ａに当接し、第２帯状部１６は、少なくとも手の甲３２ｂに当接する。
【００４７】
この態様によると、帯状部１０の基部１２を拇指３２ｅと人差指３２ｆの間に当接させることができる。また、拇指３２ｅと人差指３２ｆの間から手の平３２ａにわたる領域および橈骨周辺の筋肉に当接力を加えることができる。この結果、腕３０の拇指屈筋群に圧縮を加えて、伸筋に弛緩をもたらすことができる。伸筋が弛緩することにより、腕の動きが滑らかになり、腕３０の疲労を緩和することができる。
【００４８】
第１帯状部１４と、第２帯状部１６とは、手首３２ｈと肘３６との間で接続されてもよい。この場合、
【００４９】
第１帯状部１４と、第２帯状部１６とは、手首３２ｈの内側近傍で接続されてもよい。この場合、手首３２ｈの内側近傍の筋肉に効率的に当接力を付与することができる。
【００５０】
第１帯状部１４と、第２帯状部１６とは、腕３０の内側の橈骨側に寄った位置で接続されてもよい。この場合、腕３０の内側の橈骨側に寄った位置の筋肉に効率的に当接力を付与することができる。
【００５１】
第２帯状部１６は、手の甲３２ｂ側から腕３０の内側へ螺旋状に延びてもよい。この場合、第２帯状部１６の螺旋状部分に囲まれる部分の筋肉に効率的に当接力を付与することができる。
【００５２】
筒状体２０は、人差指３２ｆの拇指３２ｅ側の根本を覆ってもよい。この場合、帯状部１０を人差指３２ｆと拇指３２ｅの間の適切な位置に支持することができる。
【００５３】
筒状体２０は、拇指３２ｅを通す拇指孔２２ｈが設けられ、帯状部１０は、拇指孔２２ｈを半周以上にわたって囲むように配置されてもよい。この場合、帯状部１０を拇指３２ｅを囲む領域の筋肉に効率的に当接力を付与することができる。
【００５４】
本発明の別の態様の腕装着具は、人の腕３０に装着される筒状体２０と、筒状体２０に設けられ、腕３０に装着されたときに所定の部位に当接する程度の伸縮性を有する帯状部１０と、を備える。帯状部１０は、手首３２ｈにおける腕３０の内側中央に当接する基部１２と、基部１２から腕３０の内側を通り、肘３６の内側を越えて延伸する第１帯状部１４と、基部１２から腕３０の内側を通り、肘３６の内側を越えて延伸する第２帯状部１６と、を含む。第１帯状部１４は肘３６の内側において肘窩３８より尺骨側の位置に当接し、第２帯状部１６は肘３６の内側において肘窩３８より橈骨側の位置に当接する。
【００５５】
この態様によると、帯状部１０を、拇指屈筋を覆う部分に当接させることができる。特に、腕３０の橈骨周辺の筋肉に当接力を付与することができる。この結果、腕３０の拇指屈筋群に圧縮を加えて、伸筋に弛緩をもたらすことができる。伸筋が弛緩することにより、腕の動きが滑らかになり、腕３０の疲労を緩和することができる。また、第１帯状部１４と第２帯状部１６とに囲まれた領域の筋肉に効率的に当接力を付与することができる。
【００５６】
上述の腕装着具において、帯状部１０には、第１帯状部１４と第２帯状部１６とが接続される接続領域１０ｊが設けられてもよく、接続領域１０ｊは基部１２から延びていてもよい。この場合、接続領域１０ｊが当接する領域の筋肉に効率的に当接力を付与することができる。
【００５７】
上述の腕装着具において、第１帯状部１４の接続領域１０ｊを除いた部分１４ｈの横幅１４ｗは一定に形成されてもよい。この場合、橈骨側の屈筋群に一定の当接力を付与することができる。
【００５８】
上述の腕装着具において、第２帯状部１６の接続領域１０ｊを除いた部分１６ｈの横幅１６ｗは一定に形成されてもよい。この場合、尺骨側の屈筋群に一定の当接力を付与することができる。
【００５９】
上述の腕装着具において、接続領域１０ｊの横幅１０ｗは、第１帯状部１４の接続領域１０ｊを除いた部分１４ｈおよび第２帯状部１６の接続領域１０ｊを除いた部分１６ｈの横幅１４ｗ、１６ｗより大きく形成されてもよい。この場合、横幅１０ｗが小さく形成される場合より、接続領域１０ｊが当接する領域の筋肉に一層強い当接力を付与することができる。
【００６０】
上述の腕装着具において、第１帯状部１４の接続領域１０ｊを除いた部分１４ｈの横幅１４ｗは、第２帯状部１６の接続領域１０ｊを除いた部分１６ｈの横幅１６ｗより大きく形成されてもよい。この場合、尺骨側の屈筋群に橈骨側の屈筋群より強い当接力を付与することができる。
【００６１】
上述の腕装着具において、接続領域１０ｊは、腕３０の内側において長掌腱膜４０を覆う部分に当接するように構成されてもよい。この場合、長掌腱膜４０の接続領域１０ｊが当接する領域に当接力を付与することができる。
【００６２】
本発明のさらに別の態様の腕装着具付き衣類は、上述の腕装着具を備える。この態様によると、拇指屈筋を覆う部分に帯状部１０を当接させることができる衣類を提供することができる。
【００６３】
以上、本発明のいくつかの実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００６４】
［変形例］
以下、変形例について説明する。変形例の説明では、第１実施形態と同一または同等の構成要素、部材には、同一の符号を付する。第１実施形態と重複する説明を適宜省略し、第１実施形態と相違する構成について重点的に説明する。
【００６５】
実施形態の説明では、筒状体２０の反先側の第２開口２０ｊが、肘３６の近傍に位置する例を示したが、本発明はこれに限られない。例えば、筒状体２０の反先側の開口は、上腕または肩まで延びてもよい。
【００６６】
実施形態の説明では、左右の腕装着具１００が独立している例を示したが、本発明はこれに限られない。例えば、左右の腕装着具１００は、一部でつながっていてもよい。
【００６７】
実施形態の説明では、左右一対の腕装着具１００を備える例を示したが、本発明はこれに限られない。一方の腕のみの腕装着具１００を備えるようにしてもよい。
【００６８】
実施形態の説明では、左右の腕装着具１００が、互いに対称な形状を有する例を示したが、本発明はこれに限られない。左右の腕装着具１００は、互いに非対称な形状を有していてもよい。例えば、一方の腕に、第１実施形態を装着し、他方の腕に第２実施形態を装着するようにしてもよい。
【００６９】
第３実施形態の説明では、基部１２が、手首３２ｈの内側中央に当接する例を示したが、本発明はこれに限られない。基部１２は、手首３２ｈの内側中央より拇指側に寄った位置に当接してもよいし、反拇指側に寄った位置に当接してもよい。
【００７０】
実施形態の説明では、筒状体２０が丸編みにより一体の筒状に形成される例を示したが、本発明はこれに限られない。例えば、筒状体２０は、平編みにより平らに編まれ、縫製等により筒状に形成されてもよい。あるいは、筒状体２０は、所定の箇所にファスナを設け、ファスナを開いた状態で腕に巻き付け、ファスナを閉じて腕を包囲するようにしてもよい。
【００７１】
これらの変形例は、前述の実施形態と同様の作用・効果を奏する。
【００７２】
前述の各実施形態と変形例の任意の組み合わせもまた本発明の実施形態として有用である。組み合わせによって生じる新たな実施形態は、組み合わされる各実施形態および変形例それぞれの効果をあわせもつ。
【符号の説明】
【００７３】
１０・・帯状部、  １０ｊ・・接続領域、  １２・・基部、  １４・・第１帯状部、  １６・・第２帯状部、  ２０・・筒状体、  ２２・・第１筒状体、  ２２ｈ・・拇指孔、  ２４・・第２筒状体、  ２６・・第３筒状体、  ３０・・腕、  ３２・・手、  ３２ａ・・手の平、  ３２ｂ・・手の甲、  ３２ｅ・・拇指、  ３２ｆ・・人差指、  ３２ｇ・・小指、  ３２ｈ・・手首、  ３４・・前腕、  ３６・・肘、  ３８  肘窩、  ４０  長掌腱膜、  ４２  尺骨、  ４４  橈骨、  １００、２００、３００・・腕装着具。
【図１】
2019157325.tif 000003
【図２】
2019157325.tif 000004
【図３】
2019157325.tif 000005
【図４】
2019157325.tif 000006
【図５】
2019157325.tif 000007
【図６】
2019157325.tif 000008
【図７】
2019157325.tif 000009
【図８】
2019157325.tif 000010
【図９】
2019157325.tif 000011
【図１０】
2019157325.tif 000012